(57)【要約】【課題】階調性を損なわず、また熟練を要さず、簡単な作業、または自動的に、作業時間も短時間で、４色の印刷データから２色印刷用データを作成する２色印刷用データ作成方法を提供すること。【解決手段】入力画像データの特性に従い、最も暗く再現する色を求め、２色印刷の特性に従い、２色印刷で再現される最も暗い色を求め、これらの入力画像データの最も暗い色と２色印刷の最も暗い色とから、入力データの最も暗い色の明度を２色印刷の最も暗い明度に線形に変換する明度変換関数を定め、入力画像データを測色値に変換し、さらにＣＩＥＬＡＢの座標値に変換し、前記得られたＣＩＥＬＡＢのＬ＊を前記明度変換関数に従ってＬ＊'に変換し、前記得られたＣＩＥＬＡＢ座標のうちａ＊と前記得られたＬ＊'とを再現する色を２色印刷の色から探索する。【選択図】図１
2008147828.tif 000002
【特許請求の範囲】
【請求項１】
シアンとマゼンタによって印刷される２色印刷のためのデータを作成する２色印刷データ作成方法であって、
（ア）入力画像データの特性に従い、最も暗く再現する色を求めるステップと、
（イ）２色印刷の特性に従い、２色印刷で再現される最も暗い色を求めるステップと、
（ウ）これらの入力画像データの最も暗い色と２色印刷の最も暗い色とから、 入力データの最も暗い色の明度を２色印刷の最も暗い明度に線形に変換する明度変換関数を定めるステップと、
（エ）入力画像データを測色値に変換し、さらにＣＩＥＬＡＢの座標値に変換するステップと、
（オ）（エ）のステップで得たＣＩＥＬＡＢのＬ＊を前記明度変換関数に従ってＬ＊'に変換するステップと、
（カ）（エ）のステップで得たＣＩＥＬＡＢの座標値のうちａ＊と（オ）で得たＬ＊'を再現する色を２色印刷の色から探索するステップと、
を具備したことを特徴とする２色印刷データ作成方法。
【請求項２】
２色のインキによって印刷される２色印刷データを作成する２色印刷データ作成方法であって、
（キ）入力画像データの特性に従い、最も暗く再現する色を求めるステップと、
（ク）２色印刷の特性に従い、２色印刷で再現される最も暗い色を求めるステップと、
（ケ）これらの入力画像データの最も暗い色と２色印刷の最も暗い色から、 入力データの最も暗い色の明度を２色印刷の最も暗い明度に線形に変換する明度変換関数を定めるステップと、
（コ）２色印刷の特性に従い、２色のうちの1色の最大量で再現されるＣＩＥＬＡＢ値を求め、さらに残りの1色の最大量で再現されるＣＩＥＬＡＢ値を求め、それらの座標を結ぶ線分を求め、また、入力画像データを測色値に変換し、さらにＣＩＥＬＡＢの座標値に変換するステップと、
（サ）（コ）のステップで得たＣＩＥＬＡＢのＬ＊を（ケ）のステップで求めた明度変換関数に従ってＬ＊'に変換するステップと、
（シ）（コ）のステップで得たＣＩＥＬＡＢのａ＊  、ｂ＊色座標から（コ）で求めた線分と直交する線分上にあり、Ｌ＊'となる２色印刷の色を再現する２色印刷の再現色を探索するステップと、
を具備したことを特徴とする２色印刷データ作成方法。
【請求項３】
２色のインキによって印刷される２色印刷データを作成する２色印刷データ作成方法であって、
（ス）入力画像データの特性に従い、最も暗く再現する色を求めるステップと、
（セ）２色印刷の特性に従い、２色印刷で再現される最も暗い色を求めるステップと、
（ソ）これらの入力画像データの最も暗い色と２色印刷の最も暗い色から、 入力データの最も暗い色の明度を２色印刷の最も暗い明度に線形に変換する明度変換関数を定めるステップと、
（タ）（セ）のステップで得た２色印刷で再現される最も暗い色とＣＩＬＥＬＡＢの原点を結ぶ線分を求めるステップと、
（チ）入力画像データを測色値に変換し、さらにＣＩＥＬＡＢの座標値に変換するステップと、
（ツ）（チ）のステップで得たＣＩＥＬＡＢのＬ＊を（ソ）のステップで求めた明度変換関数に従ってＬ＊'に変換するステップと、
（テ）（チ）のステップで得たＣＩＥＬＡＢのａ＊  、ｂ＊色座標から（タ）で求めた線分と平行な線分上にあり、Ｌ＊'となる２色印刷の色を再現する２色印刷の再現色を探索するステップと、
を具備したことを特徴とする２色印刷データ作成方法。
【発明の詳細な説明】
【技術分野】
【０００１】
本発明は、２色印刷のためのデータを作成する２色印刷データ作成方法に関する。
【背景技術】
【０００２】
従来、折り込みチラシ等で２色インキによる印刷が行われている。これらの印刷は２色のインキによって印刷物が作成され、画像や文字も２色で再現されている。
これらの印刷用データの作成方法は、通常印刷で行うように４色の印刷データを作成し、そのうち２色印刷に使用するインキに該当するデータを用いる方法がある（特許文献１参照）。
【特許文献１】特開２０００−１０１８５６号公報
【発明の開示】
【発明が解決しようとする課題】
【０００３】
しかしながら、通常印刷の４色データのうち２色分のインキに該当するデータをそのまま用いて印刷する方法では印刷に用いられない版のデータが欠如し、それらの版の階調が再現されないことになり、２色印刷に適したデータにならず、何らかの補正をする必要があった。
また、この補正においては、２色での再現色がどのような色になるのか想像することが困難であり、これらの補正作業を行うにはかなりの熟練を要し、多大な作業負荷や作業時間を必要としている。
さらに、自然画像から直接２色印刷用データを作成する場合においては、スキャナ等による色分解工程においては特別な条件設定が必要となり、作業者は２色での再現色がどのような色になるのか判断が困難であり、これらの作業を行うにも熟練を要し、多大な作業負荷や作業時間を必要とするという問題点があった。
【０００４】
本発明は前記従来の技術がもつ問題点に鑑みなされたものであって、その目的とするところは、階調性を損なわず、また熟練を要さず、簡単な作業、または自動的に、作業時間も短時間で、４色の印刷データから２色印刷用データを作成する２色印刷用データ作成方法を提供することにある。
【０００５】
また、自然画像のもつ階調性を損なわず、また、特別な条件設定や熟練を要さず、簡単な作業、または自動的に、作業時間も短時間で、自然画像から直接２色印刷用データを作成する２色印刷用データ作成方法を提供することにある。
【課題を解決するための手段】
【０００６】
前記目的を達成するために、本発明にかかる２色印刷用データ作成方法は、シアンとマゼンタによって印刷される２色印刷のためのデータを作成する２色印刷用データ作成方法であって、（ア）入力画像データの特性に従い、最も暗く再現する色を求めるステップと、（イ）２色印刷の特性に従い、２色印刷で再現される最も暗い色を求めるステップと、（ウ）これらの入力画像データの最も暗い色と２色印刷の最も暗い色から、入力データの最も暗い色の明度を２色印刷の最も暗い明度に線形に変換する明度変換関数を定めるステップと、（エ）入力画像データを測色値に変換し、さらにＣＩＥＬＡＢの座標値に変換するステップと、（オ）（エ）のステップで得たＣＩＥＬＡＢのＬ＊を（ウ）のステップで求めた明度変換関数に従ってＬ＊'に変換するステップと、（カ）（エ）のステップで得たＣＩＥＬＡＢ座標のうちａ＊と（オ）で得たＬ＊'を再現する色を２色印刷の色から探索するステップとを具備したことを特徴とする。
【０００７】
また、本発明にかかる２色印刷用データ作成方法は、２色のインキによって印刷される２色印刷データを作成する２色印刷用データ作成方法であって、（キ）入力画像データの特性に従い、最も暗く再現する色を求めるステップと、（ク）２色印刷の特性に従い、２色印刷で再現される最も暗い色を求めるステップと、（ケ）これらの入力画像データの最も暗い色と２色印刷の最も暗い色から、 入力データの最も暗い色の明度を２色印刷の最も暗い明度に線形に変換する明度変換関数を定めるステップと、（コ）２色印刷の特性に従い、２色のうちの1色の最大量で再現されるＣＩＥＬＡＢ値を求め、さらに残りの１色の最大量で再現されるＣＩＥＬＡＢ値を求め、それらの座標を結ぶ線分を求め、また、入力画像データを測色値に変換し、さらにＣＩＥＬＡＢの座標値に変換するステップと、（サ）（コ）のステップで得たＣＩＥＬＡＢのＬ＊を（ケ）のステップで求めた明度変換関数に従ってＬ＊'に変換するステップと、（シ）（コ）のステップで得たＣＩＥＬＡＢのａ＊  、ｂ＊色座標から（コ）で求めた線分と直交する線分上にあり、Ｌ＊'となる２色印刷の色を再現する２色印刷の再現色を探索するステップとを具備したことを特徴とする。
【０００８】
また、本発明にかかる２色印刷用データ作成方法は、２色のインキによって印刷される２色印刷データを作成する２色印刷用データ作成方法であって、（ス）入力画像データの特性に従い、最も暗く再現する色を求めるステップと、（セ）２色印刷の特性に従い、２色印刷で再現される最も暗い色を求めるステップと、（ソ）これらの入力画像データの最も暗い色と２色印刷の最も暗い色から、入力データの最も暗い色の明度を２色印刷の最も暗い明度に線形に変換する、明度変換関数を定めるステップと、（タ）前記（セ）のステップで得た２色印刷で再現される最も暗い色とＣＩＬＥＬＡＢの原点を結ぶ線分を求めるステップと、（チ）入力画像データを測色値に変換し、さらにＣＩＥＬＡＢの座標値に変換するステップと、（ツ）（チ）のステップで得たＣＩＥＬＡＢのＬ＊を（ソ）のステップで求めた明度変換関数に従ってＬ＊'に変換するステップと、（テ）前記（チ）のステップで得たＣＩＥＬＡＢのａ＊  、ｂ＊色座標から（タ）で求めた線分と平行な線分上にあり、Ｌ＊'となる２色印刷の色を再現する２色印刷の再現色を探索するステップとを具備したことを特徴とする。
【発明の効果】
【０００９】
本発明を用いることにより、４色印刷用データから、簡便に、かつ、時間、熟練を要することなく、調子の欠落のない品質の高い２色印刷用データを作ることができる。また、カラー画像から簡便に、かつ、時間、熟練を要することなく、調子の欠落のない品質の高い２色印刷用データを作ることができる。
また、自然画像から２色印刷用データを作成する際、人手によらず、また、知覚的にも最適な２色印刷を再現するので、２色用印刷データを作成するのに好適である。
また、４色の印刷用データから２色用印刷データに変換する際、人手によらず、また、知覚的にも最適な２色印刷を再現するので、自動的に４色の印刷用データから２色用印刷データに変換するのに好適である。
【発明を実施するための最良の形態】
【００１０】
以下、本発明の２色印刷用データ作成方法の実施の形態について説明する。
図１、図２、図３は、本発明の一実施の形態の２色印刷用データ作成方法を実現するための機能ブロック図である。なお、図２および図３において図１と同一または相当の部分については同一の符号を付してある。
本実施の形態の２色印刷用データ作成方法は、シアンとマゼンタによって印刷される２色印刷のためのデータを作成する２色印刷データ作成方法であって、図１に示すように、入力画像データの特性に従い、最も暗く再現する色であるＣＩＥＬＡＢ値を求める機能１と、２色印刷の特性に従い、２色印刷で再現される最も暗い色であるＣＩＥＬＡＢ値を求める機能２と、これらの入力画像データの最も暗いＬ＊値と２色印刷の最も暗いＬ＊値とから、 入力データの最も暗い色の明度を２色印刷の最も暗い明度に線形に変換する明度変換関数を定める機能３と、入力画像データを測色値に変換し、さらにＣＩＥＬＡＢの座標値に変換する変換機能４と、前記変換機能４で得たＣＩＥＬＡＢのＬ＊を前記明度変換関数に従ってＬ＊'に変換する明度変換機能５と、前記変換機能４で得たＣＩＥＬＡＢの座標値のうちａ＊と前記明度変換機能５で得たＬ＊'を再現する色を２色印刷の色から探索する機能６により実現される。
【００１１】
また、２色のインキによって印刷される２色印刷データを作成する２色印刷データ作成方法であって、図２に示すように、入力画像データの特性に従い、最も暗く再現する色であるＣＩＥＬＡＢ値を求める機能１と、２色印刷の特性に従い、２色印刷で再現される最も暗い色であるＣＩＥＬＡＢ値を求める機能２と、これらの入力画像データの最も暗いＬ＊値と２色印刷の最も暗いＬ＊値から、 入力データの最も暗い色の明度を２色印刷の最も暗い明度に線形に変換する明度変換関数を定める機能３と、２色印刷の特性に従い、２色のうちの1色の最大量で再現されるＣＩＥＬＡＢ値を求め、さらに残りの1色の最大量で再現されるＣＩＥＬＡＢ値を求め、それらの座標を結ぶ線分を求め、また、入力画像データを測色値に変換し、さらにＣＩＥＬＡＢの座標値に変換する変換機能１５と、前記変換機能１５で得たＣＩＥＬＡＢのＬ＊を前記明度変換関数に従ってＬ＊'に変換する機能１６と、前記変換機能１５で得たＣＩＥＬＡＢのａ＊  、ｂ＊色座標から前記線分と直交する線分上にあり、Ｌ＊'となる２色印刷の色を再現する２色印刷の再現色を探索する機能１７とにより実現される。
【００１２】
また、２色のインキによって印刷される２色印刷データを作成する２色印刷データ作成方法であって、図３に示すように、入力画像データの特性に従い、最も暗く再現する色であるＣＩＥＬＡＢ値を求める機能１と、２色印刷の特性に従い、２色印刷で再現される最も暗い色であるＣＩＥＬＡＢ値を求める機能２と、これらの入力画像データの最も暗いＬ＊値と２色印刷の最も暗いＬ＊値から、 入力データの最も暗い色の明度を２色印刷の最も暗い明度に線形に変換する明度変換関数を定める機能３と、前記２色印刷で再現される最も暗い色を求める機能２において得た２色印刷で再現される最も暗い色とＣＩＬＥＬＡＢの原点を結ぶ線分を求める機能１８と、入力画像データを測色値に変換し、さらにＣＩＥＬＡＢの座標値に変換する変換機能４と、前記ＣＩＥＬＡＢの座標値に変換する変換機能４で得たＣＩＥＬＡＢのＬ＊を前記明度変換関数に従ってＬ＊'に変換する明度変換機能５と、前記ＣＩＥＬＡＢの座標値に変換する変換機能４で得たＣＩＥＬＡＢのａ＊  、ｂ＊色座標から、前記ＣＩＬＥＬＡＢの原点を結ぶ線分を求める機能１８で求めた線分と平行な線分上にあり、Ｌ＊'となる２色印刷の色を再現する２色印刷の再現色を探索する機能１９とにより実現される。
【００１３】
図４は、４色印刷によって再現される色をＣＩＥＬＡＢ空間のａ＊−ｂ＊平面に投影した例である。図５は、２色印刷によって再現される色をＣＩＥＬＡＢ空間のａ＊−ｂ＊平面に投影した例である。このように、４色印刷を２色印刷で再現するには、４色印刷の色空間を２色印刷の面に対して変換を行わなければならない。
そのための変換の方法を以下に示す。明度方向の変換と色度方向に分けて変換を行う。
明度変換の方法は、４色印刷によって再現される最大の明度をＬｏ、ｍａｘ、最少の明度をＬｏ、ｍｉｎとし、２色印刷によって再現される最大の明度をＬｒ、ｍａｘ、最少の明度をＬｒ、ｍｉｎとしたとき、４色印刷の明度Ｌｏを以下の関係式(数1)に従って２色印刷のための明度Ｌｒとする。
【００１４】
【数１】
2008147828.tif 000003
【００１５】
図６に色度方向の変換の規則の一つについて示す。図６は、本発明の一実施の形態の２色印刷用データ作成方法における４色印刷の色から２色印刷による色への写像方法を示す図である。そして、ＣＩＥＬＡＢ上の原画像の点Ａを２色印刷へ変換する方法を示している。この場合、Ｐ０−Ｐ１−Ｐ３−Ｐ２の面で示されているのは２色印刷による色域である。原画像のｂ＊値は無視し、ａ＊値のみを２色印刷により再現する。２色印刷による色域は面であり、また、関係式（数１）に従い再現される明度Ｌｒも決定されるため、２色印刷における再現色Ｂは一意に定まり、それを２色印刷の再現色とする。
【００１６】
さらに図７に他の例を示す。図７は、本発明の一実施の形態の２色印刷用データ作成方法における４色印刷の色から２色印刷による色への写像方法の他の例を示す図である。そして、ＣＩＥＬＡＢ上の原画像の点Ｃを２色印刷へ変換する方法を示している。２色印刷のうち1色を最大量にして発色させた位置Ｐ１と他の１色を最大量にして発色させた位置Ｐ２を結ぶ線分を作成する。この線分に直交し、原画像のＣＩＥＬＡＢ座標を通り、Ｌ＊軸に平行な平面Ｓ１を求め、さらにこのＳ１と２色印刷による色域とが交わり、関係式（数１）のＬｒとなる点Ｄを２色印刷の再現色とする変換方法である。
【００１７】
さらに図８に他の例を示す。図８は、本発明の一実施の形態の２色印刷用データ作成方法における４色印刷の色から２色印刷による色への写像方法の他の例を示す図である。そして、ＣＩＥＬＡＢ上の原画像の点Ｅを２色印刷へ変換する方法を示している。２色印刷のうち２色とも最大量にして発色させた位置Ｐ３と何も発色させない、つまり、メディアそのもの（または紙白）の位置Ｐ０を結ぶ線分を作成する。この線分に平行で原画像のＣＩＥＬＡＢ座標を通り、Ｌ＊軸に平行な平面Ｓ２を求め、さらに、このＳ２と２色印刷による色域とが交わり、関係式（数１）のＬｒとなる点Ｆを２色印刷の再現色とする変換方法である。
【００１８】
なお、本実施の形態においては４色印刷から２色印刷への変換例を示したが、４色印刷ではなくデジタルカメラのＲＧＢやＣＲＴやＬＣＤのモニタ等におけるＲＧＢから直接ＣＩＥＬＡＢの座標値に変換し、２色印刷への変換を行なってもよい。
また、本実施の形態においては、４色印刷からＬｏ、ｍａｘ、Ｌｏ、ｍｉｎを求めたが、デジタルカメラのＲＧＢやＣＲＴやＬＣＤのモニタ等におけるＲＧＢからこれらの情報を得てもよい。
また、本実施の形態では変換方法を示したが、これらの方法をＩＣＣプロフィアルとして内部のテーブルに記載して用いてもよい。
また、本実施の形態では色空間としてＣＩＥＬＡＢを用いたが、他の顕色系色空間、例えばＣＩＥＬＵＶ等を用いてもよい。
また、本実施の形態では変換する明度を先に求めているが、色度を求めるのと同時に、または明度よりも先に色度を求めて用いてもよい。
【図面の簡単な説明】
【００１９】
【図１】本発明の一実施の形態の２色印刷用データ作成方法を実現するための機能ブロック図である。
【図２】本発明の一実施の形態の２色印刷用データ作成方法を実現するための機能ブロック図である。
【図３】本発明の一実施の形態の２色印刷用データ作成方法を実現するための機能ブロック図である。
【図４】４色印刷による色域の例を模式的に示した図である。
【図５】２色印刷による色域の例を模式的に示した図である。
【図６】本発明の一実施の形態の２色印刷用データ作成方法における４色印刷の色から２色印刷による色への写像方法を示す図である。
【図７】本発明の一実施の形態の２色印刷用データ作成方法における４色印刷の色から２色印刷による色への写像方法の他の例を示す図である。
【図８】本発明の一実施の形態の２色印刷用データ作成方法における４色印刷の色から２色印刷による色への写像方法の他の例を示す図である。
【符号の説明】
【００２０】
１，２，３，６，１６，１７，１８，１９……機能、４，１５……変換機能、５……明度変換機能。
【図１】
2008147828.tif 000004
【図２】
2008147828.tif 000005
【図３】
2008147828.tif 000006
【図４】
2008147828.tif 000007
【図５】
2008147828.tif 000008
【図６】
2008147828.tif 000009
【図７】
2008147828.tif 000010
【図８】
2008147828.tif 000011